(57)【要約】      （修正有）【課題】胸ポケットに収納した収納物の重みでワイシャツ等の上着の前身頃部分が垂れ下がることを防止し、更に、下を向いた時の収納物の落下を簡単な構造で、的確に防止する内部ポケット付き衣服を提供する。【解決手段】胸ポケット２０の内側に収納物出し入れ用の前身頃開口部が横方向に溝状に形成されている。前身頃開口部の内側に、内部ポケット３０が着脱自在に装着され、内部ポケット３０は、前身頃開口部を介して収納物を出し入れでき、服から離隔した支持部材４０により、所定位置に吊着して支持されている。内部ポケット３０には、ブリッジ部材３４が連結されている。ブリッジ部材３４は、前身頃開口部を通して胸ポケット２０内に収容され、前身頃開口部及び内部ポケット３０間を橋渡して、収納物の出し入れを案内するものである。【選択図】図１
0003173021.tif 000002
【実用新案登録請求の範囲】
【請求項１】
服の前身頃に取り付けられた外部ポケットの内側に溝状に形成された収納物出し入れ用の前身頃開口部と、
収納物出し入れ用のポケット開口部を有し、前記前身頃から離隔して前記前身頃開口部箇所の内側の所定位置に配置され、前記前身頃開口部及び前記ポケット開口部を介して出し入れされる収納物を収納する内部ポケットと、
一端が前記内部ポケットに取り付けられ、他端が前記服の着用者の肩部分を経由して前記服から離隔した所定箇所に固定され、前記内部ポケットを前記所定位置に吊着して支持する支持部材と、
一端が前記ポケット開口部に連結され、他端が前記前身頃開口部を通して前記外部ポケット内に収容され、前記前身頃開口部及び前記ポケット開口部間を橋渡して、前記収納物の出し入れを案内するブリッジ部材と、
を有することを特徴とする内部ポケット付き衣服。
【請求項２】
前記所定箇所は、前記着用者の欠盆であり、
前記支持部材の他端は、前記収納物に対応した重量を有する欠盆挿入用パッドを介して前記欠盆に着脱自在に固定されることを特徴とする請求項１記載の内部ポケット付き衣服。
【請求項３】
前記所定箇所は、前記着用者の腰骨近辺であり、
前記支持部材は、前記服の内側に着用される肌着に形成された帯状部材により構成され、
前記帯状部材の一端は、取り付け部材を介して前記内部ポケットに着脱自在に取り付けられ、前記帯状部材の他端は、前記腰骨近辺に固定されることを特徴とする請求項１記載の内部ポケット付き衣服。
【請求項４】
前記支持部材の一端は、吊り下げ糸を介して前記内部ポケットに取り付けられていることを特徴とする請求項２記載の内部ポケット付き衣服。
【請求項５】
前記肌着は、伸縮性を有する前記帯状部材が形成された機能性肌着であることを特徴とする請求項３記載の内部ポケット付き衣服。
【請求項６】
前記外部ポケットは、
前記前身頃に縫着された周縁部と、
前記収納物を出し入れするための解放端部と、
前記解放端部の内側に取り付けられ、前記内部ポケット内に収納された前記収納物の落下を係止する係止部材と、
を有することを特徴とする請求項１〜５のいずれか１項に記載の内部ポケット付き衣服。
【請求項７】
前記係止部材は、表面に凹凸が形成された弾力性のある滑り止め板により構成されていることを特徴とする請求項６記載の内部ポケット付き衣服。
【請求項８】
前記係止部材は、前記内部ポケット内に収納された前記収容物の落下を挟持状態にて係止する開閉自在の蓋部材により構成されていることを特徴とする請求項６記載の内部ポケット付き衣服。
【請求項９】
前記ブリッジ部材は、略方形であることを特徴とする請求項１〜８のいずれか１項に記載の内部ポケット付き衣服。
【請求項１０】
前記収納物は、携帯機器又は手帳を含む重量物であることを特徴とする請求項１〜９のいずれか１項に記載の内部ポケット付き衣服。
【考案の詳細な説明】
【技術分野】
【０００１】
本考案は、携帯電話及びＰＨＳと携帯情報端末（ＰＤＡ）機能が付いた携帯端末であるスマートフォン（smartphone）等の携帯機器や、手帳等を含む比較的重い収納物を収納するための内部ポケットが付いた内部ポケット付き衣服に関するものである。
【背景技術】
【０００２】
衣服には、例えば、ワイシャツ等の上着である服と、この服の内側に着用される下着である肌着等とがある。
【０００３】
従来、例えば、下記の特許文献１〜３には、比較的重い収納物の１つである携帯電話機を収納するための携帯電話収納用ポケットが付いたワイシャツの技術が記載されている。このうち、特許文献１の技術では、ワイシャツの左前身頃に縫着された胸ポケットとは別に、携帯電話収納用ポケットが右前身頃に縫着されている。又、特許文献２、３の技術では、ワイシャツの胸ポケット内に、この胸ポケットよりも小さな携帯電話用ポケットが縫着されている。
【先行技術文献】
【特許文献】
【０００４】
【特許文献１】特開２０００−６４１０１号公報
【特許文献２】実用新案登録第３０９２２８１号公報
【特許文献３】特開２００７−１７７３３４号公報
【考案の概要】
【考案が解決しようとする課題】
【０００５】
しかしながら、従来の携帯電話収納用ポケット付きワイシャツでは、次のような課題があった。
【０００６】
携帯電話収納用ポケットは、前身頃に縫着されている。そのため、携帯電話機をその収納用ポケットに収納した場合、携帯電話機の重みで、収納用ポケットや、その周辺の前身頃部分が垂れ下がり、見栄えが悪いスタイルになる。特に、携帯電話機よりも大きくて重い携帯機器の１つであるスマートフォン（例、１４０ｇ）が普及しつつあるが、このようなスマートフォンを収納用ポケットに収納した場合には、その重みで、収納用ポケットや、その周辺の前身頃部分が大きく垂れ下がり、見栄えが更に悪いスタイルになる。これが原因で、お洒落な人にとっては、スマートフォンの収納場所に苦慮しているのが現状である。
【課題を解決するための手段】
【０００７】
本考案の内部ポケット付き衣服は、服（例えば、ワイシャツ等の上着）の前身頃に取り付けられた外部ポケット（例えば、胸ポケット）の内側に溝状に形成された収納物出し入れ用の前身頃開口部と、収納物出し入れ用のポケット開口部を有し、前記前身頃から離隔して前記前身頃開口部箇所の内側の所定位置に配置され、前記前身頃開口部及び前記ポケット開口部を介して出し入れされる収納物を収納する内部ポケットと、一端が前記内部ポケットに取り付けられ、他端が前記服の着用者の肩部分を経由して前記服から離隔した所定箇所（例えば、着用者の欠盆又は腰骨近辺）に固定され、前記内部ポケットを前記所定位置に吊着して支持する支持部材と、一端が前記ポケット開口部に連結され、他端が前記前身頃開口部を通して前記外部ポケット内に収容され、前記前身頃開口部及び前記ポケット開口部間を橋渡して、前記収納物の出し入れを案内するブリッジ部材と、を有することを特徴とする。
【考案の効果】
【０００８】
本考案によれば、次の（ａ）及び（ｂ）のような効果がある。
（ａ）  内部ポケット付き衣服の着用時において、内部ポケットに収納された収納物の重量が、支持部材を介して服から離隔した所定箇所（例えば、着用者の欠盆又は腰骨近辺）にて支持され、その重量が外部ポケットに掛からない。そのため、収納物の重さにより、外部ポケットや、その周辺の前身頃部分が垂れ下がることを防止できる。
【０００９】
（ｂ）  外部ポケットと内部ポケットとの間隙に、ブリッジ部材を設けて橋渡しを行うようにしているので、その間隙に収納物が落下することがなく、内部ポケットに対して収納物をスムーズに収納及び取り出しを行うことができる。
【図面の簡単な説明】
【００１０】
【図１】図１は本考案の実施例１における図２中の胸ポケット２０、内部ポケット３０及び支持部材４０を正面から見た概略の拡大斜視図である。
【図２】図２は本考案の実施例１における内部ポケット付き衣服の概略を示す正面図である。
【図３】図３は図２の背面図である。
【図４】図４は図２中の胸ポケット２０及び内部ポケット３０を示す概略の拡大縦断面図である。
【図５】図５は本考案の実施例２における肌着を示す正面図である。
【図６】図６は図５の肌着の背面図である。
【図７】図７は図２のワイシャツ１０の内側に着用された肌着６０における図５中の内部ポケット部分を示す拡大断面図である。
【図８】図８は本考案の実施例３を示す機能性肌着の背面図である。
【図９】図９は本考案の実施例４における係止部材を示す概略の斜視図である。
【考案を実施するための形態】
【００１１】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１２】
（実施例１の構成）
図２は本考案の実施例１における内部ポケット付き衣服の概略を示す正面図、及び図３は図２の背面図である。
【００１３】
この内部ポケット付き衣服は、例えば、上着の１つであるワイシャツ１０であり、このワイシャツ１０の内側に、内部ポケット３０が支持部材４０により吊着されている。
【００１４】
ワイシャツ１０は、右前身頃１１−１及び左前身頃１１−２からなる前身頃１１と、後身頃１２と、この後身頃１２の上部に取り付けられた右肩ヨーク１３−１及び左肩ヨーク１３−２からなる肩ヨーク１３と、前身頃１１及び後身頃１２の袖付け部に取り付けられた右袖１４−１及び左袖１４−２と、前身頃１１及び後身頃１２の袖付け部に取り付けられた襟１５とから形成されている。右前身頃１１−１及び左前身頃１１−２は、前立て１６に取り付けられたボタン１７を、前立て１６に形成されたボタン穴に挿入することにより、連結される。前身頃１１、後身頃１２、肩ヨーク１３、袖１４−１，１４−２、襟１５、及び前立て１６は、織物等の布地を用いて縫製されている。その布地としては、内部ポケット３０及び支持部材４０が透けて見えない生地を使用することが望ましい。又、袖１４−１，１４−２は、図示された短袖の他に、長袖であってもよい。
【００１５】
左前身頃１１−２において、着用者の左胸の位置には、織物等の布地で作られた外部ポケット（例えば、胸ポケット）２０が取り付けられている。胸ポケット２０は、略方形をしており、左前身頃１１−２に縫着された両側辺及び底辺からなる周縁部２１と、収納物を出し入れするための解放端部２２とにより形成されている。胸ポケット２０の上部（例えば、解放端部２２から下の３ｃｍ程の部分）の内側に位置する左前身頃１１−２箇所には、収納物出し入れのための窓である溝状の前身頃開口部１８が横方向に形成されている。左前身頃１１−２の内側には、この前身頃１１から離隔して内部ポケット３０が支持部材４０により吊着されている。
【００１６】
内部ポケット３０は、前身頃開口部１８箇所の内側の所定位置に配置され、その前身頃開口部１８を介して出し入れされる収納物を収納する略方形のポケットである。この内部ポケット３０を支持する支持部材４０の一端側は、平行な２本の吊り下げ糸４１−１，４１−２を介して、内部ポケット３０のポケット開口部側に取り付けられている。支持部材４０の他端側は、着用者の肩部分（例えば、左肩部分）に配置された左欠盆挿入用の左パッド４２−２を経由してワイシャツ１０から離隔した所定箇所（例えば、右欠盆）に、右欠盆挿入用の右パッド４２−１を介して、その右欠盆に着脱自在に固定される。右欠盆は、着用者の右鎖骨の上の窪んだ箇所であり、左欠盆は、左鎖骨の上の窪んだ箇所である。このような支持部材４０により、前身頃開口部１８箇所の内側の所定位置に、内部ポケット３０が吊着されて支持されている。
【００１７】
内部ポケット３０は、織物等の布地や、あるいは柔軟な生地といった種々の素材で形成することができる。この内部ポケット３０を形成するための生地は、例えば、身体から発する汗等の水分によって収納物が悪影響を受けることを防止できる防水素材、あるいは、電磁波を発生するスマートフォン等の収納物によって身体が悪影響を受けることを防止できる電磁波遮断素材等を使用することが好ましい。
【００１８】
図１は、本考案の実施例１における図２中の胸ポケット２０、内部ポケット３０及び支持部材４０を正面から見た概略の拡大斜視図である。更に、図４は、図２中の胸ポケット２０及び内部ポケット３０を示す概略の拡大縦断面図である。
【００１９】
胸ポケット２０は、左前身頃１１−２と、この左前身頃１１−２の外側に配置された略方形の胸ポケット生地２３とから作られている。胸ポケット生地２３の解放端部２２に対して、その胸ポケット生地２３の両側辺及び底辺の周縁部２１は、左前身頃１１−２に縫着され、内部に収納スペース２４が形成されている。
【００２０】
解放端部２２の内側の横方向には、略長方形の係止部材２５が取り付けられている。係止部材２５は、内部ポケット３０の収納スペース３３内、あるいは胸ポケット２０の収納スペース２４内に収納されたスマートフォン等の収納物５０が、下を向いた時に落下することを係止して防止する部材であり、例えば、表面に凹凸が形成されたシリコーンゴム等の弾力性のある滑り止め板により構成されている。この係止部材２５は、解放端部２２の内側に対して、縫着されるか、あるいは、面ファスナー等によって着脱自在に取り付けられている。
【００２１】
内部ポケット３０は、略方形の表内部ポケット生地３１と、略方形の裏内部ポケット生地３２と、から作られている。表内部ポケット生地３１の解放されたポケット開口部３１ａに対して、その表内部ポケット生地３１の両側辺及び底辺の周縁部は、裏内部ポケット生地３２に縫着され、内部に収納スペース３３が形成されている。ポケット開口部３１ａには、ブリッジ部材３４が連結されている。
【００２２】
ブリッジ部材３４は、胸ポケット２０側の収納スペース２４の横幅よりも小さな横幅を有する略方形をなし、一端がポケット開口部３１ａに連結され、他端が前身頃開口部１８を通して胸ポケット２０内に収容され、その前身頃開口部１８及びポケット開口部３１ａ間を橋渡して、収納物５０の出し入れを案内するものである。このブリッジ部材３４は、例えば、表内部ポケット生地３１に延設された織物等の生地３４ａと、この生地３４ａに連結された皺になりにくい補強部材３４ｂとにより構成されている。補強部材３４ｂは、例えば、薄い合成樹脂板等により形成されている。なお、ブリッジ部材３４は、柔軟性のある１枚の合成樹脂フイルム等により形成してもよい。
【００２３】
裏内部ポケット生地３２の上端部における横方向には、略長方形の保持部材３５が縫着等により取り付けられている。保持部材３５は、内部ポケット３０におけるポケット開口部３１ａの開口幅を一定値に保持し、その内部ポケット３０に収納された収納物５０の重量が内部ポケット幅の全体に均等に掛かるようにするため（即ち、収納物重量負荷の均一化を図るため）の部材であり、例えば、ポケット開口部３１ａの開口幅と略同一の長さを有する略長方形のプラスチック等の硬質部材により形成されている。この保持部材３５は、平行な２本の吊り下げ糸４１−１，４１−２に吊着されている。
【００２４】
支持部材４０の他端側には、右欠盆挿入用の右パッド４２−１が設けられている。この右パッド４２−１には、帯状の連結部材４３、左欠盆挿入用の左パッド４２−２、及び略長方形の保持部材４４を介して、平行な２本の吊り下げ糸４１−１，４１−２が取り付けられている。
【００２５】
右パッド４２−１は、右欠盆の窪みに合わせて形を柔軟に変更できるよう、右欠盆に挿入可能な厚みを有する略三角形をしており、収納物５０に対応する重量（例えば、収納物５０がスマートフォンの場合は、１３０ｇ程度の重量）の錘部材が内蔵され、支持部材４０の他端側を右欠盆に固定する機能を有している。右パッド４２−１に内蔵される錘部材は、例えば、タングステン等の高比重金属の小片が、粘土状のパテに混入して形成されている。この右パッド４２−１には、面ファスナー等により、連結部材４３の一端が着脱自在に取り付けられている。
【００２６】
連結部材４３は、着用者の首の後周辺部に載置されるものであり、帯状の生地等により形成されている。連結部材４３の他端には、面ファスナー等により、左パッド４２−２が着脱自在に取り付けられている。左パッド４２−２は、左欠盆に挿入可能な厚みを有する柔軟な略三角形をしている。この左パッド４２−２は、左右のデザイン上のバランスを考えて、右パッド４２−１と同型の形をしているが、錘部材は内蔵されていない。連結部材４３は、右パッド４２−１と左パッド４２−２とを結ぶ、首掛けとなる。
【００２７】
左パッド４２−２には、面ファスナー等により、保持部材４４が着脱自在に取り付けられている。保持部材４４は、平行な２本の吊り下げ糸４１−１，４１−２を左パッド４２−２に接続するものであり、略長方形のプラスチック等の硬質部材により形成されている。吊り下げ糸４１−１，４１−２は、デザイン上、ワイシャツ１０から透けて見えないようにして、内部ポケット３０を吊り下げる機能を有している。
【００２８】
（ワイシャツへの内部ポケットの取り付け例）
ワイシャツ１０への内部ポケット３０の取り付け例を説明する。
【００２９】
着用者は、ワイシャツ１０を着用する前の肌着を着た状態で、内部ポケット３０が取り付けられた支持部材４０の連結部材４３を首に掛け、右パッド４２−１を右欠盆の窪みに挿入すると共に、左パッド４２−２を左欠盆の窪みに挿入し、吊り下げ糸４１−１，４１−２によって内部ポケット３０を吊り下げる。
【００３０】
次に、ワイシャツ１０を着て、内部ポケット３０のポケット開口部３１ａに連結されたブリッジ部材３４を、左前身頃１１−２の内側から前身頃開口部１８を通して、胸ポケット２０の収納スペース２４へ挿入する。ブリッジ部材３４の先端側には、補強部材３３ｂが取り付けられているので、ブリッジ部材３４が収納スペース２４へスムーズに入って自重により垂れ下がる。これにより、ワイシャツ１０への内部ポケット３０の取り付けが完了する。
【００３１】
（内部ポケット付きワイシャツの使用例）
内部ポケット３０が取り付けられたワイシャツ１０を着用し、スマートフォン等の比較的重い収納物５０を内部ポケット３０に収納する場合、図４の矢印で示すように、収納物５０を上から斜め下方向へ向かって、胸ポケット２０内の前身頃開口部１８へ挿入する。すると、収納物５０がブリッジ部材３４に案内され、内部ポケット３０のポケット開口部３１ａを通して、その内部ポケット３０の収納スペース３３へスムーズに収納される。
【００３２】
なお、胸ポケット２０と内部ポケット３０との間には、隙間があるので、収納物５０の挿入の際に、その隙間に収納物５０が落下するおそれがある。そこで、本実施例１では、胸ポケット２０と内部ポケット３０との間に、ブリッジ部材３４を設けて橋渡しを行うようにしているので、その隙間から収納物５０が落下することなく、スムーズに内部ポケット３０へ収納される。
【００３３】
内部ポケット３０に収納された収納物５０が比較的重い場合、内部ポケット３０が垂れ下がろうとする。しかし、内部ポケット３０は、首に掛けた支持部材４０における右パッド４２−１を介して、着用者の右欠盆に固定されているので、収納物５０の重量が打ち消され、垂れ下がりが阻止されて、内部ポケット３０が所定位置に保持される。
【００３４】
この際、内部ポケット３０は、胸ポケット２０に結合されていないので、内部ポケット３０内の収納物５０の重量が胸ポケット２０に掛からない。そのため、胸ポケット２０や、その周辺の左前身頃１１−２部分が垂れ下がることがない。
【００３５】
収納物５０の収納時において、着用者が下を向いた場合、内部ポケット３０に収納された収納物５０が、その自重で、内部ポケット３０のポケット開口部３１ａを介して前身頃開口部１８からずり落ちようとする。しかし、収納物５０の先端部が係止部材２５により係止されて、その収納物５０の落下が阻止される。そのため、収納物５０が内部ポケット３０から落下することがない。
【００３６】
又、収納物５０の収納時において、着用者がその収納物５０を内部ポケット３０から取り出す場合、指を前身頃開口部１８へ挿入するので、その指によって係止部材２５が外方向へ移動する。そのため、指で収納物５０を摘んで内部ポケット３０からスムーズに取り出せる。
【００３７】
（実施例１の効果）
本実施例１によれば、次の（１）〜（４）のような効果がある。
【００３８】
（１）  ワイシャツ１０の着用時において、内部ポケット３０に収納された収納物５０の重量が、支持部材４０の他端側の所定重量を有する右パッド４２−１を介して、着用者の右欠盆部分で支持され、その重量が胸ポケット２０に掛からない。そのため、収納物５０の重さにより、胸ポケット２０や、その周辺の左前身頃１１−２部分が垂れ下がることを防止できる。
【００３９】
（２）  ワイシャツ１０の着用時において、着用者が下を向いても、内部ポケット３０からずり落ちる収納物５０が、係止部材２５により係止されるので、収納物５０がその自重により内部ポケット３０から落下することを、簡単な構造で、防止することができる。
【００４０】
（３）  胸ポケット２０と内部ポケット３０との間隙に、ブリッジ部材３４を設けて橋渡しを行うようにしているので、その間隙に収納物５０が落下することがなく、内部ポケット３０に対して収納物５０をスムーズに収納及び取り出しを行うことができる。
【００４１】
（４）  保持部材４４には、吊り下げ糸４１−１，４１−２を介して内部ポケット３０が取り付けられ、その保持部材４４が、面ファスナー等により、左パッド４２−２に着脱自在に取り付けられている。そのため、収納物５０の種類（例えば、スマートフォンのカバー無し、スマートフォンのカバー付き、手帳等）に応じて、サイズ等の異なる他の種類の内部ポケット３０等に取り替えることができ、使用上、便利である。
【実施例２】
【００４２】
（実施例２の構成）
図５は、本考案の実施例２における肌着を示す正面図、及び、図６は、図５の肌着の背面図であり、実施例１を示す図１〜図４中の要素と共通の要素には共通の符号が付されている。
【００４３】
肌着６０は、ワイシャツ１０の内側に着用される下着であり、例えば、前身頃６１、後見頃６２、右袖６３−１、左袖６３−２、及び首元６４から形成され、伸縮性を有する織物等の布地を用いて縫製されている。なお、右袖６３−１及び左袖６３−２は、図示された短袖の他に、長袖であってもよい。
【００４４】
前身頃６１の外側の左胸箇所には、内部ポケット３０を着脱自在に取り付けるための面ファスナー等の取り付け部材４５が縫製されている。内部ポケット３０は、実施例１を示す図１中の内部ポケット３０と略同一の構成であるが、実施例１のような吊り下げ糸４１−１，４１−２には吊着されておらず、その吊り下げ糸４１−１，４１−２に代えて、保持部材３５の裏側に、面ファスナー等の取り付け部が設けられ、その取り付け部により、取り付け部材４５に対して着脱自在に取り付けられる構成になっている。
【００４５】
肌着６０の内側には、取り付け部材４５に取り付けられる内部ポケット３０の垂れ下がりを防止するために、実施例１の支持部材４０とは異なる構成の支持部材４０Ａが形成されている。即ち、肌着６０の布地には伸縮性があり、前身頃６１に取り付けた内部ポケット３０に収納物５０を収納すると、その収納物５０の重量で肌着６０の首元６４が垂れ下がる。そのため、その垂れ下がりを防止し、ワイシャツ１０から透けて見えないように、肌着６０の内側に支持部材４０Ａが形成されている。
【００４６】
支持部材４０Ａは、帯状部材により構成され、この帯状部材が、左胸箇所の取り付け部材４５から左肩部まで上方向に延設された前帯上部４６−１と、左肩部から背面右腰部まで斜め下方向に延設された後帯部４６−２と、背面右腰部から前身頃右腹部下端まで斜め下方向に延設された前帯下部４６−３と、を有し、伸縮性の無い生地により形成されている。前帯下部４６−３は、ズボンのベルト等により、腰骨近辺で固定される。このような支持部材４０Ａは、肌着６０の内側に縫着等で取り付けられるか、あるいは、肌着６０内に編み込み等で形成される。
【００４７】
支持部材４０Ａの一部（例えば、後帯部４６−２の一部）には、ゴム等の弾力性を有する伸縮部４７が設けられている。伸縮部４７は、取り付け部材４５を一定の位置に保持するために、支持部材４０Ａの前帯上部４６−１を引き上げて弛みを無くす機能を有している。
【００４８】
なお、支持部材４０Ａの前帯上部４６−１を引き上げる支点として、前帯下部４６−３の腰骨近辺における肌着６０の外側に、表面に凹凸が形成されたゴム板等の弾力性のある滑り止め部材４８を縫着等で取り付けても良い。又、図示しないが、前帯下部４６−３には、着用するパンツゴム部分に対して着脱自在に取り付けるための面ファスナー等の貼着部材を設けても良い。
【００４９】
図７は、図２のワイシャツ１０の内側に着用された肌着６０における図５中の内部ポケット部分を示す拡大断面図である。
【００５０】
内部ポケット３０の保持部材３５の裏側は、肌着６０側の取り付け部材４５に着脱自在に取り付けられている。内部ポケット３０に連結されたブリッジ部材３４は、実施例１と同様に、前身頃開口部１８を通して胸ポケット２０内に収容されている。
【００５１】
（ワイシャツへの内部ポケットの取り付け例とその使用例）
着用者は、肌着６０を着て、内部ポケット３０における保持部材３５の裏側を、前身頃６１の取り付け部材４５に取り付ける。肌着６０の上に図２のワイシャツ１０を着て、内部ポケット３０に連結されたブリッジ部材３４を、左前身頃１１−２の内側から前身頃開口部１８を通して、胸ポケット２０の収納スペース２４へ挿入する。ブリッジ部材３４の先端側には、補強部材３４ｂが取り付けられているので、ブリッジ部材３４が収納スペース２４へスムーズに入って自重により垂れ下がる。
【００５２】
ワイシャツ１０の下部をズボンのベルト等で固定すると、肌着６０側の支持部材４０Ａにおける前帯下部４６−３が、そのベルト等によって腰骨近辺にて固定される。
【００５３】
なお、前帯下部４６−３に滑り止め部材４８を取り付けておけば、摩擦力が大きくなり、腰骨近辺における前帯下部４６−３の固定強度が大きくなる。又、図示しないが、前帯下部４６−３において、着用するパンツゴム部分に対して着脱自在に取り付けるための面ファスナー等の貼着部材を設けた場合、その前帯下部４６−３が、パンツゴム部分及びベルト等により固定されるので、固定強度が大きくなる。
【００５４】
このように、支持部材４０Ａにおける前帯下部４６−３が、腰骨近辺にて固定されると、その前帯下部４６−３３を支点にして、支持部材４０Ａ、取り付け部材４５、及び内部ポケット３０側の保持部材３５を介して、内部ポケット３０が、前身頃開口部１８箇所の内側の所定位置に支持され、ワイシャツ１０への内部ポケット３０の取り付けが完了する。
【００５５】
スマートフォン等の比較的重い収納物５０の使用時において、その収納物５０を内部ポケット３０に収納する場合、図７の矢印で示すように、収納物５０を上から斜め下方向へ向かって、胸ポケット２０内の前身頃開口部１８へ挿入する。すると、収納物５０がブリッジ部材３４に案内され、内部ポケット３０のポケット開口部３１ａを通して、その内部ポケット３０の収納スペース３３へスムーズに収納される。
【００５６】
内部ポケット３０に収納された収納物５０が比較的重い場合、内部ポケット３０が垂れ下がろうとする。しかし、内部ポケット３０は、肌着６０側の支持部材４０Ａを介して、その支持部材４０Ａの前帯下部４６−３が、ズボンのベルト等によって腰骨近辺で固定される。そのため、収納物５０の重量が打ち消され、肌着６０の首元６４の垂れ下がりや、ワイシャツ１０の胸ポケット２０箇所の垂れ下がりが阻止されて、内部ポケット３０が所定位置に保持される。
【００５７】
この際、実施例１と同様に、内部ポケット３０は、胸ポケット２０に結合されていないので、内部ポケット３０内の収納物５０の重量が胸ポケット２０に掛からない。そのため、胸ポケット２０や、その周辺の左前身頃１１−２部分が垂れ下がることがない。
【００５８】
収納物５０の収納時において、実施例１と同様に、着用者が下を向いた場合、収納物５０の先端部が係止部材２５により係止されて、その収納物５０の落下が阻止される。そのため、収納物５０が内部ポケット３０から落下することがない。
【００５９】
又、収納物５０の収納時において、実施例１と同様に、着用者がその収納物５０を内部ポケット３０から取り出す場合、指を前身頃開口部１８へ挿入するので、その指によって係止部材２５が外方向へ移動する。そのため、指で収納物５０を摘んで内部ポケット３０からスムーズに取り出せる。
【００６０】
（実施例２の効果）
本実施例２によれば、実施例１の効果（２）及び（３）と同様の効果があり、更に、次の（ａ）及び（ｂ）のような効果もある。
【００６１】
（ａ）  肌着６０及びワイシャツ１０の着用時において、内部ポケット３０に収納された収納物５０の重量が、肌着６０側の支持部材４０Ａを介して腰骨近辺で支持され、その重量が胸ポケット２０に掛からない。そのため、収納物５０の重さにより、肌着６０の首元６４の垂れ下がりや、ワイシャツ１０の胸ポケット２０箇所の垂れ下がりを防止できるので、内部ポケット３０を所定位置に保持できる。
【００６２】
（ｂ）  内部ポケット３０は、肌着６０側の取り付け部材４５に着脱自在に取り付けられる。そのため、収納物５０の種類（例えば、スマートフォンのカバー無し、スマートフォンのカバー付き、手帳等）に応じて、サイズ等の異なる他の種類の内部ポケット３０に取り替えることができ、使用上、便利である。
【実施例３】
【００６３】
図８は、本考案の実施例３を示す機能性肌着の背面図であり、実施例２を示す図６中の要素と共通の要素には共通の符号が付されている。
【００６４】
本実施例３では、実施例２の伸縮性を有する肌着６０に代えて、これとは構成の異なる機能性肌着６０Ｂを使用している。機能性肌着６０Ｂは、機能性インナーとも言われ、支持部材４０Ｂにより体全体を締め付ける肌着である。支持部材４０Ｂは、伸縮性素材が織り込まれた帯状部材からなり、この帯状部材が機能性肌着６０Ｂの生地自体に、たすき状等に織り込まれて形成されている。このような支持部材４０Ｂにより、図５中の取り付け部材４５を支持すれば、その取り付け部材４５に着脱自在に取り付けられる内部ポケット３０を、前身頃開口部１８箇所の内側の所定位置に保持することができる。
【００６５】
従って、機能性肌着６０Ｂが垂れ下がることなく、実施例２と略同様の作用効果を奏することができる。
【実施例４】
【００６６】
図９は、本考案の実施例４における係止部材を示す概略の斜視図である。
この係止部材２５Ａは、図１、図４及び図７中の係止部材２５の他の構成例を示すものであり、胸ポケット２０における解放端部２２の内側に取り付けられ、内部ポケット３０の収納スペース３３内、あるいは胸ポケット２０の収納スペース２４内に収納されたスマートフォン等の収納物５０が、下を向いた時に落下することを、挟持状態にて係止する開閉自在の部材である。
【００６７】
係止部材２５Ａは、解放端部２２の内側において横方向に固定される略長方形の固定部２５ａと、この固定部２５ａに対して所定の角度θをもって開いた状態で接続され、開閉可能な復元力を有する略長方形の係止部２５ｂとにより構成され、例えば、シリコーンゴム等の弾性部材や、あるいは、プラスチック等の形状記憶部材により形成されている。
【００６８】
係止部２５ｂは、図９の矢印で示すように、例えば、収納物５０によって下方向に押圧されると、下方向に閉じて角度θが小さくなり、その押圧が解除されると上方向に開いて所定の角度θに復元し、収納物５０によって上方向に押圧されると、所定の角度θを維持して収納物５０を係止する機能を有している。固定部２５ａは、解放端部２２の内側に対して、縫着されるか、あるいは、面ファスナー等によって着脱自在に固定されている。
【００６９】
この係止部材２５Ａでは、以下のように動作する。
内部ポケット３０が取り付けられたワイシャツ１０を着用し、スマートフォン等の比較的重い収納物５０を内部ポケット３０に収納する場合、図９の矢印で示すように、収納物５０を上から斜め下方向へ向かって、胸ポケット２０内の前身頃開口部１８へ挿入する。すると、図９の矢印で示すように、収納物５０により、係止部材２５Ａの係止部２５ｂが下方向に押されて閉じると共に、その収納物５０がブリッジ部材３４に案内され、内部ポケット３０のポケット開口部３１ａを通して、その内部ポケット３０の収納スペース３３へスムーズに収納される。
【００７０】
収納物５０の収納時において、着用者が下を向いた場合、内部ポケット３０に収納された収納物５０が、その自重で、内部ポケット３０のポケット開口部３１ａを介して前身頃開口部１８からずり落ちる。この際、図９の矢印で示すように、収納物５０がずり落ちると、係止部材２５Ａにおいて所定角度θだけ開いた係止部２５ｂにより、その収納物５０の落下が阻止される。そのため、収納物５０が内部ポケット３０から落下することがない。
【００７１】
又、収納物５０の収納時において、着用者がその収納物５０を内部ポケット３０から取り出す場合、指を前身頃開口部１８へ挿入するので、その指によって係止部材２５Ａの係止部２５ｂが閉じる。そのため、指で収納物５０を摘んで内部ポケット３０からスムーズに取り出せる。
【００７２】
本実施例４の係止部材２５Ａによれば、収納物５０が係止部２５ｂにより挟持状態にて係止されるので、収納物５０の落下をより的確に防止できる。
【００７３】
（変形例）
本考案は、上記実施例１〜４に限定されず、種々の利用形態や変形が可能である。この利用形態や変形例としては、例えば、次の（ｉ）〜（ｉｉｉ）のようなものがある。
【００７４】
（ｉ）  ワイシャツ１０に内部ポケット３０を装着しない場合、前身頃開口部１８を、蓋用の生地を用いて面ファスナー等で封止する構成にしても良い。このような構成において、ワイシャツ１０の着用者が下を向いた場合、胸ポケット２０に収納された収納物５０の落下を、係止部材２５，２５Ａにより的確に防止することができる。
【００７５】
（ｉｉ）  実施例１〜４では、服の一例としてワイシャツ１０について説明したが、ワイシャツ１０以外の他の服の胸ポケット内側に内部ポケット３０を装着する構成にしても良い。他の服を、内部が透けて見えない生地により形成した場合、実施例１の吊り下げ糸４１−１，４１−２に代えて、帯状の布等を使用しても良い。又、ワイシャツ１０を含む服において、胸ポケット２０は、右前身頃１１−１に設けたり、あるいは、前身頃１１において胸以外の脇下等の他の位置に斜め等に設けた外部ポケットであっても良い。
【００７６】
（ｉｉｉ）  実施例２の支持部材４０Ａは、肌着６０の外側に形成しても良い。
【符号の説明】
【００７７】
１０      ワイシャツ
１１      前身頃
１８      前身頃開口部
２０      胸ポケット
２５，２５Ａ      係止部材
３０      内部ポケット
３４      ブリッジ部材
４０，４０Ａ，４０Ｂ      支持部材
４１−１，４１−２      吊り下げ糸
４２−１，４２−２      パッド
４３      連結部材
４５      取り付け部材
４７      伸縮部
４８      滑り止め部材
５０      収納物
６０      肌着
６０Ｂ      機能性肌着
【図１】
0003173021.tif 000003
【図２】
0003173021.tif 000004
【図３】
0003173021.tif 000005
【図４】
0003173021.tif 000006
【図５】
0003173021.tif 000007
【図６】
0003173021.tif 000008
【図７】
0003173021.tif 000009
【図８】
0003173021.tif 000010
【図９】
0003173021.tif 000011